【手続補正書】
【提出日】平成23年8月9日(2011.8.9)
【手続補正１】
【補正対象書類名】特許請求の範囲
【補正対象項目名】全文
【補正方法】変更
【補正の内容】
【特許請求の範囲】
【請求項１】
アルカン系、アルコール系、エーテル系物質等の有機化合物から選ばれた液体を内部に収容し、供給される気泡状の水電解ガスと気体化石燃料との混合を繰り返し実行する混合槽と、前記混合槽に対し塩基性電解液を用いた水電解により生成された水電解ガスを気泡状で供給する水電解ガス供給手段と、前記混合槽に対し気体化石燃料を気泡状で供給する化石燃料供給手段と、前記水電解ガスと気体化石燃料との混合が繰り返し実行され生成された水電解ガス混合燃料を燃料使用装置へ排出する水電解ガス混合燃料排出手段と、を有する水電解ガス混合燃料の生成装置において、
前記水電解ガスと気体化石燃料の気泡が容易に通過できない程度の複数の細孔が形成された仕切板であって、前記混合槽内部に収容された液体に浸漬され、かつ当該仕切板の外周面が混合槽内壁に接近した状態で水平方向に設置された複数の仕切板が取付けられた昇降可能な可動構造に構成された昇降可動部と、
前記水電解ガス及び／又は気体化石燃料の混合槽への供給の停止又は開始、供給量、所定成分比を制御する制御手段と、
を備えたことを特徴とする水電解ガス混合燃料の生成装置。
【請求項２】
前記アルカン系、アルコール系、エーテル系物質等の有機化合物の液体が、ガソリン、エタノール、メチルアルコール、ジメチルエーテルから選ばれた液体のいずれかである、ことを特徴とする請求項１に記載の水電解ガス混合燃料の生成装置。
【請求項３】
前記気体化石燃料が液化石油ガス（ＬＰＧ）、液化天然ガス（ＬＮＧ）、石炭乾留ガスから選ばれた気体化石燃料のいずれかである、ことを特徴とする請求項１または２のいずれかに記載の水電解ガス混合燃料の生成装置。
【請求項４】
前記水電解ガス混合燃料の生成装置により生成される水電解ガス混合燃料が、前記アルカン系、アルコール系、エーテル系物質等の有機化合物の液体から気化するガスを含む、ことを特徴とする請求項１乃至３のいずれかに記載の水電解ガス混合燃料の生成装置。
【請求項５】
前記昇降可動部に取付けられた仕切板が３段に形成され、最下段の仕切板が厚さ０．５〜２．５ｍｍで細孔径が０．５〜３．５ｍｍであるステンレス製であり、その上段側の仕切板が細孔径が０．２〜１．５ｍｍの平板状のメッシュ構造体である、ことを特徴とする請求項１乃至４のいずれかに記載の水電解ガス混合燃料の生成装置。
【請求項６】
前記制御手段が、前記水電解ガスと気体化石燃料の気泡が前記仕切板の下面側に多数集合して上方層への移動が停滞する、又は気泡が当該細孔を通過し上方層へ移動することにより生じる前記仕切板が取付けられた昇降可動部の上昇又は下降の変位を検知して、水電解ガス及び気体化石燃料の混合槽内への供給の停止又は開始を制御する、ことを特徴とする請求項１乃至５のいずれかに記載の水電解ガス混合燃料の生成装置。
【請求項７】
前記制御手段が、混合槽の内圧の変化を検知して、水電解ガス及び気体化石燃料の混合槽内への供給の停止又は開始を制御する、ことを特徴とする請求項１乃至５のいずれかに記載の水電解ガス混合燃料の生成装置。
【請求項８】
前記制御手段が、混合槽の内圧が気体化石燃料の混合槽内への供給停止条件として設定された圧力と同一圧に達したことを検知して水電解ガスの混合槽内への供給を停止し、混合槽の内圧が当該設定圧より低下したことを検知して水電解ガスの混合槽内への供給を開始するように制御する、ことを特徴とする請求項１乃至５のいずれかに記載の水電解ガス混合燃料の生成装置。
【請求項９】
前記水電解ガス供給手段に対し供給される水電解ガスの発生装置が、底部側に電解液導入口を有し、頂部側に電解液と生成ガスの混在物を取り出すための取出し口を有する電解槽であって、該電解槽内の底部側に配設された陽極板と、前記電解槽内の頂部側に配設された陰極板と、前記陽極板から前記陰極板へ向かう方向にアルカリ電解液を旋回流動させながら通流させるための電気的接続のない電解液旋回通流手段とを備えた水電解ガス生成用電解槽と、前記電解槽の上端の取出し口から取り出される水電解ガスと電解液の混在物を導入して、水電解ガスのガス成分と電解液との気液分離を行い当該ガス成分を外部に取り出し、電解液成分を残留せしめるための水電解ガス−電解液分離槽と、前記分離槽に残留せしめられた電解液を強制冷却するための電解液強制冷却手段と、当該電解液を前記電解槽側に環流させる電解液循環手段と、からなる水電解ガス発生装置である、ことを特徴とする請求項１乃至８のいずれかに記載の水電解ガス混合燃料の生成装置。
【請求項１０】
前記電解槽内の陽極板と陰極板との間に配設された電解液旋回通流手段が、所要枚数の金属板であってそれぞれの中心から外周側に外れて点対称に穿孔された２乃至６個の通流開口を有し、これら通流開口を所定角度ずつ順次変位させて配設することにより旋回流動を伴いながら電解液を通流させる構造である、ことを特徴とする請求項９に記載の水電解ガス混合燃料の生成装置。
【手続補正２】
【補正対象書類名】明細書
【補正対象項目名】発明の名称
【補正方法】変更
【補正の内容】
【発明の名称】水電解ガス混合燃料の生成装置
【手続補正３】
【補正対象書類名】明細書
【補正対象項目名】０００１
【補正方法】変更
【補正の内容】
【０００１】
本発明は、塩基性電解液を用いた水電解によって得られる水電解ガスと液化天然ガスや液化石油ガス等の気体化石燃料とを混合することにより得られる水電解ガス混合燃料の生成装置に関する。
【手続補正４】
【補正対象書類名】明細書
【補正対象項目名】０００７
【補正方法】変更
【補正の内容】
【０００７】
本発明の課題は、塩基性電解液における水電解で生成された水電解ガスと気体化石燃料とを混合することにより水電解ガス混合燃料を生成する装置を提供することである。発明者らは、水電解ガスと気体化石燃料を混合する装置について種々研究を重ねた結果、二酸化炭素の排出量が低減されると共に原料となる気体化石燃料の消費量の大幅な低減が可能で、強力な火力が持続的に得られる燃料を生成できる装置を開発するに至ったものである。
【手続補正５】
【補正対象書類名】明細書
【補正対象項目名】００１５
【補正方法】変更
【補正の内容】
【００１５】
本発明に係る水電解ガス混合燃料は、塩基性電解液を用いた水電解により生成された水電解ガスと気体化石燃料を気泡状で導入し、アルカン系、アルコール系、エーテル系物質等の有機化合物から選ばれた液体Ｌを内部に収容した混合槽１１において、前記導入された水電解ガスと気体化石燃料とが均一混合されるように混合を繰り返し実行し、前記水電解ガスと気体化石燃料の気泡が容易に通過できない程度の複数の細孔が形成された仕切板であって、前記混合槽内部に収容された液体Ｌに浸漬され、かつ当該仕切板の外周面が混合槽内壁に接近した状態で水平方向に設置された複数の仕切板５１、５２、５３が取付けられた昇降可能な可動構造に構成された昇降可動部１５を備え、前記水電解ガスと気体化石燃料の気泡が前記仕切板の下面側に多数集合して上方層への移動が停滞する、又は気泡が当該細孔を通過し上方層へ移動することにより生じる前記仕切板が取付けられた昇降可動部１５の上昇又は下降の変位を検知して、水電解ガス及び気体化石燃料の混合槽内への供給の停止又は開始（再開）、供給量、所定成分比を制御して、前記水電解ガスと気体化石燃料との混合を繰り返し実行することにより生成される。
【手続補正６】
【補正対象書類名】明細書
【補正対象項目名】００１６
【補正方法】変更
【補正の内容】
【００１６】
本発明に係る水電解ガス混合燃料は、水電解ガス及び気体化石燃料の混合槽内への供給の停止又は開始（再開）の制御が混合槽の内圧変化の検知により行なわれることにより生成され、また水電解ガスの混合槽内への供給停止の制御が混合槽の内圧が気体化石燃料の混合槽内への供給停止条件として設定された混合槽の内圧と同一に達したことを検知して行なわれ、水電解ガスの混合槽内への供給開始（再開）の制御が混合槽の内圧が当該設定内圧より低下したことを検知して行なわれることにより生成される。
【手続補正７】
【補正対象書類名】明細書
【補正対象項目名】００２４
【補正方法】変更
【補正の内容】
【００２４】
次に、添付図を参照しつつ本発明に係る水電解ガス混合燃料の生成装置について開示する。図１（Ａ）は本発明に係る水電解ガス混合燃料の生成装置を説明するための概略断面図であり、図１（Ｂ）は図１（Ａ）のＡ−Ａ矢視断面図である。図２は、本発明に係る水電解ガス混合燃料の生成装置及び関連する周辺装置を示すブロック図である。本発明に係る水電解ガス混合燃料の生成装置１０は、図に示されるように、アルカン系、アルコール系、エーテル系物質等の有機化合物から選ばれた液体Ｌを内部に収容し、底部から導入される気泡状の水電解ガスと気体化石燃料との混合を繰り返し実行する混合槽１１、この混合槽に対し塩基性電解液を用いた水電解により生成された水電解ガスを供給する水電解ガス供給手段１２、混合槽に対し気体化石燃料を供給する化石燃料供給手段１３、前記水電解ガスと気体化石燃料との混合が繰り返し実行され生成された水電解ガス混合燃料を燃料使用装置６０へ排出する水電解ガス混合燃料排出手段１４、とにより構成されている。